(57)【要約】      （修正有）【課題】コイルの磨耗を防止可能な光フィルター部材を提供する。【解決手段】窓枠４２１と、前記窓枠４２１の両側に設けられる２つのレール４２２とを備えるフレーム４２と、２つのレール４２２の間に設けられる２つのコイルと、２つの摺動部材４３２の間に設けられるフィルター４３と、前記フィルター４３に設けられる２つの磁性部材４４と、フィルター４３を２つのレール４２２の間に保持する２つのカバー４１とを有するものである。【選択図】図３
0003150366.tif 000002
【実用新案登録請求の範囲】
【請求項１】
窓枠と、該窓枠の両側に設けられる２つのレールとを備え、該各レールに複数の固定部と、２つのコイル設置部と、該２つのコイル設置部の間に位置すると共に、該窓枠の一側に結合する結合部とが設けられるフレームと、
前記２つのレールの間に設けられる２つのコイルと、
２つの摺動部材と、該２つの摺動部材の間に設けられる少なくとも１つのレンズと、夫々前記２つの摺動部材の前端の間及び後端の間に設けられる２つの保持部材とを備えるフィルターと、
前記保持部材に保持される２つの磁性部材と、
前記フィルターを前記２つのレールの間に保持する２つのカバーと、を有し、
前記各コイルは、前記一方のレールのコイル設置部と、もう一方のレールにおける相対するコイル設置部との間に設けられ、
前記各カバーは、前記窓枠に位置合わせられる開口と、前記フレームの固定部に掛止される複数の固定部材と、該摺動部材を制限するための突起とを備えることを特徴とする光フィルター部材。
【請求項２】
前記コイル設置部の近傍に磁性部品が設けられることを特徴とする請求項１に記載の光フィルター部材。
【請求項３】
前記フィルターは、前記２つの摺動部材の間に、摺動部材の長手方向に沿って設けられる２つのレンズを有するものであり、
前記２つの摺動部材及び２つの保持部材は、長方形の枠組みに形成されることを特徴とする請求項１又は請求項２に記載の光フィルター部材。
【請求項４】
各保持部材は、さらに保持部材と摺動部材との間に位置する磁性部を有することを特徴とする請求項１乃至請求項３の何れか１項に記載の光フィルター部材。
【請求項５】
前記固定部は、前記コイル設置部の近傍に設けられると共に、該各固定部には、さらに前記磁性部品を保持する穴が形成されることを特徴とする請求項１乃至請求項４の何れか１項に記載の光フィルター部材。
【請求項６】
前記窓枠とレールとの間に、前記突起を受け入れるための複数の凹入部が形成されることを特徴とする請求項１乃至請求項５の何れか１項に記載の光フィルター部材。
【請求項７】
前記カバーの固定部材は、前記固定部に固定されるフック状のものであることを特徴とする請求項１乃至請求項６の何れか１項に記載の光フィルター部材。
【請求項８】
前記レールに切替装置が取り付けられることを特徴とする請求項１乃至請求項７の何れか１項に記載の光フィルター部材。
【考案の詳細な説明】
【技術分野】
【０００１】
本考案は、特にカメラの内部における、レンズ装置と感知装置との間に保持される光フィルター部材に関するものである。
【背景技術】
【０００２】
従来のカメラは、レンズ装置と、光線を感知するための、例えばフィルムや電荷結合素子（charge-coupled  device,  CCD）などからなる露光部材を具備する感知装置と、従来の光フィルター部材とを備えるものであり、該従来の光フィルター部材は、前記レンズ装置からカメラに入射する光線を、現像に好適な強度や色を有するものにフィルタリングするためのものである。
【０００３】
前記従来の光フィルター部材には、異なるフィルタリング効果を有する複数のレンズが設けられる。例えば昼間と夜とでは、カメラに入射する光線の強度や色合いが異なるので、正確に現像するためには、光フィルターのレンズを好適なものに切り換えなくてはならない。
【０００４】
前記従来の光フィルター部材では、光フィルターを駆動してレンズを切り換える手段として、駆動モータが挙げられる。しかしながら、駆動モータにより光フィルターを駆動する構成を用いるカメラは、小型化することが非常に困難であった。故に、その後、そのような問題を解決するために、例えば、台湾実用新案登録第M253792及びM302047号のような小型光フィルターが案出された。
【０００５】
前記小型光フィルターは、複数のレンズと、該複数のレンズの周囲に巻回されるコイルと、該コイルに対応する磁性部材とを有するものであり、該コイルに通電し磁場を発生させ、該磁場におけるコイルと磁性部材との間に生じる磁力により、小型光フィルターを摺動させるものである。この技術によれば、構成が簡単であるので、前記小型光フィルターを所定の位置に摺動させることにより、特定のレンズを適用することができると共に、小型化を容易に行うことができる。
【考案の開示】
【考案が解決しようとする課題】
【０００６】
しかしながら、前記従来の小型光フィルターは、使用時に、コイルが他の部材と接触し磨耗するので、コイルの摩滅による故障や誤動作が頻発するといった問題があった。
【０００７】
また、前記台湾実用新案登録第M302047号に記載の小型光フィルターは、専用のレールを設置することにより、コイルの摩耗を低減しているが、該コイルの磨耗問題を有効に解決することができない。
【０００８】
更に、環境保護の側面から見れば、前記モータ駆動式光フィルターまたは小型光フィルターなどは、使用時において持続的に電力を消費するものであるので、大量の電力を消費することになる。
【０００９】
なお、現在の市場においては、小型のものやエコロジー技術が施された商品が好まれているので、省エネなどにより環境保護を図ることは、商品の販売競争力を向上させることに繋がる。
【００１０】
そこで、案出されたのが本考案であって、コイルの磨耗を防ぐことができると共に、省エネ型光フィルター部材を提供することを目的としている。
【課題を解決するための手段】
【００１１】
本願の請求項１の考案は、
窓枠と、該窓枠の両側に設けられる２つのレールとを備え、該各レールに複数の固定部と、２つのコイル設置部と、該２つのコイル設置部の間に位置すると共に、該窓枠の一側に結合する結合部とが設けられるフレームと、
前記２つのレールの間に設けられる２つのコイルと、
２つの摺動部材と、該２つの摺動部材の間に設けられる少なくとも１つのレンズと、夫々前記２つの摺動部材の前端の間及び後端の間に設けられる２つの保持部材とを備えるフィルターと、
前記保持部材に保持される２つの磁性部材と、
前記フィルターを前記２つのレールの間に保持する２つのカバーと、を有し、
前記各コイルは、前記一方のレールのコイル設置部と、もう一方のレールにおける相対するコイル設置部との間に設けられ、
前記各カバーは、前記窓枠に位置合わせられる開口と、前記フレームの固定部に掛止される複数の固定部材と、該摺動部材を制限するための突起とを備えることを特徴とする光フィルター部材、を提供する。
【００１２】
本願の請求項２の考案は、前記コイル設置部の近傍に磁性部品が設けられることを特徴とする請求項１に記載の光フィルター部材、を提供する。
【００１３】
本願の請求項３の考案は、前記フィルターは、前記２つの摺動部材の間に、摺動部材の長手方向に沿って設けられる２つのレンズを有するものであり、
前記２つの摺動部材及び２つの保持部材は、長方形の枠組みに形成されることを特徴とする請求項１又は請求項２に記載の光フィルター部材、を提供する。
【００１４】
本願の請求項４の考案は、各保持部材は、さらに保持部材と摺動部材との間に位置する磁性部を有することを特徴とする請求項１乃至請求項３の何れか１項に記載の光フィルター部材、を提供する。
【００１５】
本願の請求項５の考案は、前記固定部は、前記コイル設置部の近傍に設けられると共に、該各固定部には、さらに前記磁性部品を保持する穴が形成されることを特徴とする請求項１乃至請求項４の何れか１項に記載の光フィルター部材、を提供する。
【００１６】
本願の請求項６の考案は、前記窓枠とレールとの間に、前記突起を受け入れるための複数の凹入部が形成されることを特徴とする請求項１乃至請求項５の何れか１項に記載の光フィルター部材、を提供する。
【００１７】
本願の請求項７の考案は、前記カバーの固定部材は、前記固定部に固定されるフック状のものであることを特徴とする請求項１乃至請求項６の何れか１項に記載の光フィルター部材、を提供する。
【００１８】
本願の請求項８の考案は、前記レールに切替装置が取り付けられることを特徴とする請求項１乃至請求項７の何れか１項に記載の光フィルター部材、を提供する。
【考案の効果】
【００１９】
本考案は上記の課題を解決するものであり、コイルの磨耗を防ぐことができ、省エネ型光フィルター部材を提供することができる。
【図面の簡単な説明】
【００２０】
【図１】本考案に係る光フィルター部材を用いたカメラの分解斜視図である。
【図２】本考案に係る光フィルター部材の斜視図である。
【図３】本考案に係る光フィルター部材の分解斜視図である。
【図４Ａ】本考案に係る光フィルター部材の側面断面図である。
【図４Ｂ】本考案に係る光フィルター部材の他の側面断面図である。
【図５】本考案に係る光フィルター部材の使用状態を示す正面図である。
【図６】本考案に係る光フィルター部材の他の使用状態を示す正面図である。
【考案を実施するための最良の形態】
【００２１】
以下、添付図面を参照して本考案の好適な実施の形態を詳細に説明する。尚、下記実施例は、本考案の好適な実施の形態を示したものにすぎず、本考案の技術的範囲は、下記実施例そのものに何ら限定されるものではない。
【００２２】
図１は本考案に係る光フィルター部材を用いたカメラの分解斜視図であり、図２は本考案に係る光フィルター部材の斜視図であり、図３は本考案に係る光フィルター部材の分解斜視図であり、図４Ａは本考案に係る光フィルター部材の側面断面図であり、図４Ｂは本考案に係る光フィルター部材の他の側面断面図であり、図５は本考案に係る光フィルター部材の使用状態を示す正面図であり、図６は本考案に係る光フィルター部材の他の使用状態を示す正面図である。
【００２３】
図１及び図２に示すように、本考案に係る光フィルター部材（４０）は、レンズ装置（１０）と、感知装置（２０）と、該光フィルター部材（４０）をレンズ装置（１０）と感知装置（２０）との間に保持するための保持装置（３０）とを有するカメラに設置されるものであり、その内、感知装置（２０）には、該レンズ装置（１０）からカメラに入射され光フィルター部材（４０）でフィルタリングされる光線を感知するための露光部材が設けられ、その構成によりフィルタリングされた光線は、好適な強度と色を有するので、露光部材を高精度で露光することができる。
【００２４】
図３に示すように、光フィルター部材（４０）は、フレーム（４２）と、２つのコイル（４２７）と、フィルター（４３）と、２つの磁性部材（４４）と、２つのカバー（４１）とを有するものである。
【００２５】
その内、フレーム（４２）は、前記レンズ装置（１０）からカメラに入射する光線を通過させるための窓枠（４２１）と、該窓枠（４２１）の両側に設けられる２つのレール（４２２）とを備え、該各レール（４２２）には、複数の固定部（４２３）と、２つのコイル設置部（４２４）と、結合部（４２６）とが設けられる。
【００２６】
前記一方のレール（４２２）のコイル設置部（４２４）は、もう一方のレール（４２２）のコイル設置部（４２４）に対応するものである。図５及び図６に示すように、前記２つのコイル（４２７）は、２つのレール（４２２）の間に設けられ、該各コイル（４２７）は、一方のレール（４２２）のコイル設置部（４２４）と、相対する他方のレール（４２２）のコイル設置部（４２４）との間に設けられる。
【００２７】
前記結合部（４２６）は、前記２つのコイル設置部（４２４）の間に位置すると共に、前記窓枠（４２１）の一側に結合される。
【００２８】
本実施例においては、前記窓枠（４２１）とレール（４２２）との間には、前記突起（４１４）を受け入れるための複数の凹入部（４２５）が形成される。
【００２９】
更に、本実施例においては、前記コイル（４２７）に通電して磁場を発生させるが、その磁場を調節するために、前記コイル（４２７）の内部に磁芯（６１）が設けられており、この磁芯（６１）は、フェライトやコバルトなど磁性材料からなり、該コイル（４２７）の内部に設置可能な外形を呈し、例えば、厚さが１ミリメートルで、面積が２〜３平方センチメートルの外形を呈するものであっても構わない。
【００３０】
図３に示すように、フィルター（４３）は、２つの摺動部材（４３２）と、少なくとも１つのレンズ（４３１）と、２つの保持部材（４３４）とを備え、該レンズ（４３１）は、２つの摺動部材（４３２）の間に設けられる。また、一方の保持部材（４３４）は、２つの摺動部材（４３２）の前端の間に設けられると共に、他方の保持部材（４３４）は、２つの摺動部材（４３２）の後端の間に設けられ、更に、前記フィルター（４３）は、前記２つの摺動部材（４３２）の間に、摺動部材（４３２）の長手方向に沿って設けられる２つのレンズ（４３１）を有すると共に、前記２つの摺動部材（４３２）及び２つの保持部材（４３４）は、前記２つのレンズ（４３１）を囲むように長方形の枠組みに形成されるものである。
【００３１】
前記保持部材（４３４）は、前記磁性部材（４４）を保持可能な湾曲状の外形を呈し、本実施例の２つのレンズ（４３１）を有するフィルター（４３）においては、１つのレンズ（４３１）が透明なものであると共に、他方のレンズ（４３１）は色付きのものであり、該２つのレンズ（４３１）の何れかが前記窓枠（４２１）に位置合わせするように該フィルター（４３）を摺動させることにより、使用状態に応じて、異なる光フィルタリング効果を提供する。
【００３２】
前記各保持部材（４３４）は、さらに保持部材（４３４）と摺動部材（４３２）との間に位置する、フェライトやコバルトなどの磁性材料からなる磁性部（４３５）を有する。また、前記フィルター（４３）に保持される磁性部材（４４）の他に、前記磁性部（４３５）もコイル（４２７）による磁場において磁力を受けるので、前記フィルター（４３）により強い力を与えることができる。
【００３３】
前記磁性部材（４４）は夫々、前記保持部材（４３４）に保持されるものであり、例えば、天然磁石又は人工磁石からなり、棒状を呈するものである。
前記磁性部材（４４）が棒状を呈する実施形態においては、前記保持部材（４３４）に保持される磁性部材（４４）の一端が、一方の摺動部材（４３２）を越えない洋に延出すると共に、該磁性部材（４４）の他端は、もう一方の摺動部材（４３２）を越えないように延出される。尚、この実施形態において前記磁性部（４３５）は、薄肉片を呈すると共に、前記磁性部材（４４）の一端に位置することが好ましい。
【００３４】
図４Ａ及び図４Ｂに示すように、２つのカバー（４１）は、フィルター（４３）を２つのレール（４２２）の間に保持するためのものであり、該各カバー（４１）は、窓枠（４２１）に位置合わされる開口（４１１）と、フレーム（４２）の固定部（４２３）に掛止される複数の固定部材（４１３）と、該摺動部材（４３２）を制限するための突起（４１４）とを備える。
【００３５】
本実施例においては、前記各カバー（４１）はプレート状を呈し、前記固定部材（４１３）及び突起（４１４）は、該カバー（４１）と一体に延出してなるプレート状であり、その内、突起（４１４）は、前記フレーム（４２）の固定部（４２３）に掛止できるように折曲しているので、前記カバー（４１）を前記フレーム（４２）上に設置することができる。即ち、前記フィルター（４３）は、前記フレーム（４２）に設置されるカバー（４１）により、前記２つのレール（４２２）の間に保持される。
【００３６】
また、前記突起（４１４）は、前記摺動部材（４３２）を位置決めしてその移動を制限するために、前記２つのカバー（４１）の内側に向かって湾曲すると共に、前記２つのレール（４２２）の間に位置する。
そして、前記窓枠（４２１）とレール（４２２）との間に、複数の凹入部（４２５）が形成され、前記突起（４１４）が該凹入部（４２５）に挿入されることにより、前記摺動部材（４３２）を位置決めしてその移動を制限する。
【００３７】
図５及び図６に示すように、コイル設置部（４２４）の近傍には、さらに、例えばフェライトやコバルトなど磁性材料からなる磁性部品（４５）が設けられると共に、前記固定部（４２３）がコイル設置部（４２４）の近傍に設けられ、該各固定部（４２３）に、磁性部品（４５）を保持する穴（４２８）が設けられる。尚、前記穴（４２８）は、固定部（４２３）を貫通するものであっても構わない。
【００３８】
また、この実施形態において、本考案の光フィルター部材（４０）は、前記フレーム（４２）と、前記フィルター（４３）と、前記磁性部材（４４）と、前記カバー（４１）と、前記磁性部品（４５）とからなるものであり、前記構成を有すものであるので、前記カバー（４１）をフレーム（４２）に設置する時には、前記穴（４２８）を同時に封じることができるので、穴（４２８）に嵌め込まれた該磁性部品（４５）を同時に該穴（４２８）の内部に保持することができる。
【００３９】
さらに、前記各レール（４２２）における、２つのコイル設置部（４２４）の近傍に２つの穴（４２８）が形成され、これにより、前記窓枠（４２１）と２つのレール（４２２）とからなる前記フレーム（４２）が、４つの角を有する長方形を構成する。該２つのレール（４２２）に設けられる４つの穴（４２８）は夫々、該４つの角部に相対し、該４つの角部近傍に位置するものである。
【００４０】
尚、前記４つの穴（４２８）には通常、その何れにも磁性部品（４５）が嵌め込まれるが、該４つの穴（４２８）の内、対角する２つの穴（４２８）にのみ、夫々１つの磁性部品（４５）が設けられる構成であってもよい。
【００４１】
前記レール（４２２）には、前記コイル（４２７）と外部電源とを電気接続すると共に、この電気接続の制御を行う切替装置（４２９）が取り付けられ、該切替装置（４２９）は、一方のレール（４２２）における、他方のレール（４２２）に面する側に取り付けられることが好ましい。
【００４２】
本考案の光フィルター部材（４０）を使用する時は、前記２つのコイル（４２７）を夫々、前記２つのレール（４２２）の間における両側の、相対するコイル設置部（４２４）に設置し、該コイル（４２７）により磁場を発生させることにより、前記磁性部材（４４）に磁力を与えることができる。例えば、前記切替装置（４２９）によりコイル（４２７）における電流の方向を変えると、磁極の配置が異なる磁場が発生させることができるので、前記磁性部材（４４）おいて異なる方向の磁力を与えることができる。この方法により、前記コイル（４２７）を制御を行えば、前記フィルター（４３）の摺動方向を制御することにより、使用したいレンズ（４３１）を、前記レンズ装置（１０）と感知装置（２０）の露光部材との間に位置するように、該フィルター（４３）を摺動させることができるので、該フィルター（４３）における異なるレンズ（４３１）の切り換えにより、異なるフィルタリング効果を発揮させることができる。
【００４３】
また、前記フィルター（４３）が摺動すると、前記２つのレール（４２２）のコイル設置部（４２４）に保持されるコイル（４２７）は、他の部材と接触することはないので、コイル（４２７）の磨耗による故障や誤動作を防止することができる。
【００４４】
一方、前記カバー（４１）は、前記フィルター（４３）を２つのレール（４２２）の間に保持するのみならず、前記突起（４１４）により該フィルター（４３）の摺動範囲をも制限するものである。この構成によれば、前記摺動部材（４３２）の摺動可能な範囲は、一方のレール（４２２）の近傍に位置する前記突起（４１４）と、他方のレール（４２２）の近傍に位置する前記突起（４１４）との間に制限されるであるので、専用のレールなどを設けなくとも、摺動部材（４３２）を好適に動作させることができる。故に、本考案の、磁力を発生させるコイル（４２７）及び磁力により摺動するフィルター（４３）による、製造が極めて簡単な構成は、実用性に優れたものである。
【００４５】
さらに図１に示すように、磁性部品（４５）を用いる実施形態においては、フィルター（４３）が特定のレンズ（４３１）の適用位置まで摺動した時、前記コイル（４２７）への電力供給が切断された待機状態であっても、該磁性部品（４５）と、フィルター（４３）の磁性部材（４４）との間における磁力の働きにより、前記フィルター（４３）が該特定のレンズ（４３１）の適用位置において固定される。
【００４６】
また、他のレンズ（４３１）を適用するために、前記磁性部品（４５）とフィルター（４３）の磁性部材（４４）との間の磁力により固定されていた前記フィルター（４３）を再び摺動させようとする時には、前記コイル（４２７）への電力供給を再開させて、例えば異なる方向の電流をコイル（４２７）に供給し、再び前記コイル（４２７）が発生する磁場により、該磁性部品（４５）とフィルター（４３）の磁性部材（４４）との間の磁力を上回る磁力を、該磁性部材（４４）に与える。このように、前記コイル（４２７）が発生する磁場により前記磁性部材（４４）に磁力を与えることによって、前記フィルター（４３）を他のレンズ（４３１）の適用位置まで摺動させる。そして、再び前記コイル（４２７）への電力供給を切断して待機状態とすれば、前記磁性部品（４５）と、前記フィルター（４３）の磁性部材（４４）との間における磁力の働きにより、前記フィルター（４３）は前記他のレンズ（４３１）の適用位置に固定される。
【００４７】
上述したように、前記構成によれば、使用時おいて、フィルター（４３）を摺動させる時しか、電力を消費しないので、省電力性に優れている。尚、電力供給及び電流方向の変換などを制御し易くするための回路を切替装置（４２９）に設けてもよい。
【産業上の利用可能性】
【００４８】
本考案は上記の構成を有するので、コイルの磨耗を防止することができると共に、省エネ効果を達成可能な光フィルター部材を提供することができる。
【符号の説明】
【００４９】
１０    カメラレンズ
２０    感知装置
３０    保持装置
４０    光フィルター部材
４１    カバー
４１１  開口
４１３  固定部材
４１４  突起
４２    フレーム
４２１  窓枠
４２２  レール
４２３  固定部
４２４  コイル設置部
４２５  凹入部
４２６  結合部
４２７  コイル
４２８  穴
４２９  切替装置
４３    フィルター
４３１  レンズ
４３２  摺動部材
４３４  保持部材
４３５  磁性部
４４    磁性部材
４５    磁性部品
６１    磁芯
【図１】
0003150366.tif 000003
【図２】
0003150366.tif 000004
【図３】
0003150366.tif 000005
【図４Ａ】
0003150366.tif 000006
【図４Ｂ】
0003150366.tif 000007
【図５】
0003150366.tif 000008
【図６】
0003150366.tif 000009